(57)【特許請求の範囲】
【請求項１】
貨幣の金種識別および計数を行う貨幣処理機と、前記貨幣処理機と接続され、前記貨幣処理機の貨幣データを集計管理する端末装置とを備えた貨幣処理システムにおいて、前記貨幣処理機は新規金種の貨幣データを予め決められた既存金種の貨幣データに換算して前記端末装置に送信することを特徴とする貨幣処理システム。
【請求項２】
前記貨幣データは貨幣の枚数データを含むことを特徴とする請求項１に記載の貨幣処理システム。
【請求項３】
前記新規金種の貨幣の額面金額は前記既存金種の貨幣の額面金額の整数倍であることを特徴とする請求項１又は請求項２に記載の貨幣処理システム。
【発明の詳細な説明】
【０００１】
【発明の属する技術分野】
本発明は、貨幣処理システムに関し、さらに詳細には、金融機関や交通機関などの窓口、ホテルや国民宿舎などの宿泊施設のフロント、あるいはデパートやスーパーマーケットなどの流通業店舗において、貨幣処理機と管理ターミナルやＰＯＳレジスタなどの端末装置とを接続し、紙幣や硬貨の入出金、貨幣データの管理などを自動処理する貨幣処理システムに関し、とくに新規金種の貨幣が発行された場合に、迅速に対応可能な貨幣処理システムに関する。
【０００２】
【従来の技術】
従来、金融機関や交通機関などの窓口、ホテルや国民宿舎などの宿泊施設のフロント、あるいはデパートやスーパーマーケットなどの流通業店舗においては、貨幣処理機と管理ターミナルやＰＯＳレジスタなどの端末装置とが接続され、紙幣や硬貨の入出金、貨幣データの管理などを自動処理する貨幣処理システムが導入されている。この種の貨幣処理システムでは、貨幣処理機は処理した貨幣のデータを端末装置からの要求に応じて、図４に示すような予め決められた通信用データフォーマットで送信するようになっている。なお図４において、Ｄ０は万円、Ｄ１は五千円、Ｄ２は千円の枚数データエリアである。そして、端末装置では貨幣処理機から送信されてきた貨幣データをもとに貨幣の入出金履歴の管理、貨幣処理機の機内在高管理、締め上げ時の集計処理などを行っている。
【０００３】
【発明が解決しようとする課題】
ところで、これまでにない新規金種の貨幣が発行された場合、例えば２０００円札が発行されたような場合、上述した貨幣処理システムでは、新規金種の貨幣を識別・計数するための貨幣処理機の仕様変更、上述した貨幣データの通信用データフォーマットの変更とそれに伴う端末装置の貨幣データ管理プログラムの変更などを行うことが必要であった。上述した貨幣処理システムの変更のうち、新規金種の貨幣を識別・計数するための貨幣処理機の仕様変更については必要不可欠であり、この仕様変更のためにある程度の時間を要するのはやむを得ない。しかし、貨幣データの通信用データフォーマットの変更とそれに伴う端末装置の貨幣データ管理プログラムの変更なども行うとなると、多大な時間がかかってしまい、迅速な対応ができないという問題が生じる。また、これらの変更には膨大な費用がかかってしまう。
【０００４】
本発明はこのような問題を解決するためになされたものであり、新規金種の貨幣が発行された場合に、迅速かつ容易に、しかも低コストで対応可能な貨幣処理システムを提供することを目的とする。
【０００５】
【課題を解決するための手段】
本発明の上記目的は、貨幣の金種識別および計数を行う貨幣処理機と、前記貨幣処理機と接続され、前記貨幣処理機の貨幣データを集計管理する端末装置とを備えた貨幣処理システムにおいて、前記貨幣処理機は新規金種の貨幣データを予め決められた既存金主の貨幣データに換算して前記端末装置に送信することを特徴とする貨幣処理システムによって達成される。
【０００６】
【発明の実施の形態】
以下、図面を参照して本発明の実施の形態について説明する。
図１は、本発明の一例である貨幣処理システムの構成図である。この貨幣処理システムは、端末装置である管理ターミナル１と貨幣処理機２が接続され、さらに管理ターミナル１は図示しないホストコンピュータと接続されている。ここに、貨幣処理機２にとって管理ターミナル１は上位、管理ターミナル１にとってホストコンピュータは上位という位置付けである。
【０００７】
図２は、図１に示した本発明の貨幣処理システムを構成する管理ターミナル１および貨幣処理機２の内部構成例である。管理ターミナル１は、ＣＰＵ３、ホストコンピュータなど上位との通信を行う上位通信部４、下位の貨幣処理機２との通信を行う下位通信部５、各種データを印刷するプリンタ部６、各種制御プログラムなどを格納するＲＯＭ７、各種データを保存するＦＤＤ８、ＲＡＭ９及びＨＤＤ１０などを備えており、ＣＰＵ３により各部の制御が行われている。また、貨幣処理機２は、ＣＰＵ１１、管理ターミナル１などの上位との通信を行う上位通信部１２、貨幣を搬送する搬送手段１３、貨幣の金種識別、必要に応じて貨幣の真偽判別を行う貨幣識別部１４、貨幣処理機２の制御プログラムを格納するＲＯＭ１５、貨幣処理機２の各種データを保存するＲＡＭ１６などを備え、ＣＰＵ１１により各部の制御が行われている。ここで、管理ターミナル１の下位通信部５と貨幣処理機２の上位通信部１２はオンライン接続されており、各種データ管理や制御のための通信ができるようになっている。
【０００８】
次に、新規金種として二千円札が発行された場合を例にして、本発明の貨幣処理システムにおける処理について説明する。
【０００９】
貨幣処理機２のＲＡＭ１６には、図３に示すような、貨幣の入金または出金データを管理するための内部カウンタ、貨幣処理機２内の貨幣の在高を管理するための在高カウンタが設けられている。ここに、内部カウンタは図３−（１）に示すように、万円用（Ａ）、五千円用（Ｂ）、二千円用（Ｃ）、千円用（Ｄ）の枚数カウンタからなり、在高カウンタは、図３−（２）に示すように、万円用（Ｅ）、五千円用（Ｆ）、二千円用（Ｇ）、千円用（Ｈ）の枚数カウンタからなる。
【００１０】
また、上述した内部カウンタのデータや在高カウンタのデータを管理ターミナルに送信する際には、図４に基き前述したような通信用データフォーマットを用いて送信するようになっている。なお、このデータフォーマットは新規金種である二千円が発行される以前に設定したものであり、また、説明を簡単化するために必要な部分のみ抜き出している。
【００１１】
これより、まず貨幣処理機２に貨幣が入金された場合における処理について図５のフローチャートを参照して説明する。貨幣処理機２に貨幣が入金されると、入金貨幣が一枚ずつ取り込まれ（ステップＳ１−１）、この貨幣の金種識別が行われる（ステップＳ１−２）。次に、内部カウンタの該当金種のカウンタを＋１し（ステップＳ１−３）、続いて在高カウンタの該当金種のカウンタを＋１する（ステップＳ１−４）。その後、入金貨幣の取り込みが終了したかが確認され（ステップＳ１−５）、取り込みが終了していれば入金処理は完了となり、終了してしなければ、ステップＳ１−１に戻り、同様の処理がなされる。
【００１２】
次に、管理ターミナル１から貨幣処理機２へ入金データの送信要求があった場合について図６のフローチャートを参照して説明する。
【００１３】
まず、管理ターミナル１より貨幣処理機２へ入金データの送信要求があると（ステップＳ２−１）、内部カウンタの万円用枚数カウンタ（Ａ）のデータを通信用データの万円用枚数データエリア（Ｄ０）へコピーし（ステップＳ２−２）、さらに五千円用枚数カウンタ（Ｂ）のデータを通信用データの五千円用枚数データエリア（Ｄ１）へコピーする（ステップＳ２−３）。続いて、内部カウンタの二千円用枚数カウンタ（Ｃ）のデータを２倍した値と千円用枚数カウンタ（Ｄ）の値を加算し、この値を通信用データの千円用枚数データエリア（Ｄ２）に書き込む（ステップＳ２−４）。そして、このようにして作られた通信用データを管理ターミナル１へ送信する（ステップＳ２−５）。
【００１４】
次に、管理ターミナル１から貨幣処理機２へ在高データの送信要求があった場合について図７のフローチャートを参照して説明する。
【００１５】
まず、管理ターミナル１より貨幣処理機へ在高データの送信要求があると（ステップＳ３−１）、在高カウンタの万円用枚数カウンタ（Ｅ）のデータを通信用データの万円用枚数データエリア（Ｄ０）へコピーし（ステップＳ３−２）、さらに五千円用枚数カウンタ（Ｆ）のデータを通信用データの五千円用枚数データエリア（Ｄ１）へコピーする（ステップＳ３−３）。続いて、在高カウンタの二千円用枚数カウンタ（Ｇ）のデータを２倍した値と千円用枚数カウンタ（Ｈ）の値を加算し、この値を通信用データの千円用枚数データエリア（Ｄ２）に書き込む（ステップＳ３−４）。そして、このようにして作られた通信用データを管理ターミナル１へ送信する（ステップＳ３−５）。
【００１６】
上述では、管理ターミナル１から貨幣処理機２へ入金データの送信要求があった時点で通信用データを作成し、送信するようになっているが、これに限られるわけではなく、例えば、管理ターミナル１からの要求がなくても、入金あるいは出金処理がなされた場合には、常に通信用データの作成および管理ターミナル１へのデータ送信を行うようにしても良い。
【００１７】
また、上述では入金データと在高データを同じ通信用データフォーマットでそれぞれ個別に管理ターミナル１へ送信しているが、入金データと在高データ、あるいは出金データと在高データなどを一つの通信用データとしたフォーマットを使用して、一括して送信することも可能である。
【００１８】
また、複数の貨幣処理機２の中で、特定の一台を親機とし、この親機に全ての貨幣処理機２の貨幣データを収集し、一括して管理ターミナル１へ送信するようにしても良い。
【００１９】
さらに、上述した貨幣処理システムでは、管理ターミナル１と貨幣処理機２を組み合わせたものであったが、ＰＯＳレジスタと貨幣処理機の組み合わせでも良い。
【００２０】
さらにまた、上述では、新規金種として二千円札が発行された場合について述べたが、既存金種の整数倍の額面の新規金種が発行された場合であれば適用可能であり、また、貨幣としては紙幣に限らず、硬貨であっても良い。
【００２１】
【発明の効果】
以上のように、本発明の貨幣処理システムでは、貨幣処理機で処理された新規金種の貨幣データを予め決められた既存金種での貨幣データに換算して端末装置へ送信するようにしているので、既存貨幣にない新規金種の貨幣が発行された場合に、貨幣データの通信用データフォーマットの変更や端末装置の貨幣データ管理プログラムの変更などが一切不要であり、迅速かつ容易に、しかも低コストで対応することができる。
【図面の簡単な説明】
【図１】本発明の一例である貨幣処理システムの構成図である。
【図２】本発明の貨幣処理システムを構成する管理ターミナルおよび貨幣処理機の内部構成例を示す図である。
【図３】貨幣データを管理するためのカウンタの構成を示す図で、同図（１）は内部カウンタ、同図（２）は在高カウンタの構成図である。
【図４】貨幣データの通信用データフォーマットの説明図である。
【図５】貨幣処理機に貨幣が入金された場合の処理を示すフローチャートである。
【図６】管理ターミナルから貨幣処理機に入金データの送信要求があった場合の処理を示すフローチャートである。
【図７】管理ターミナルから貨幣処理機に在高データの送信要求があった場合の処理を示すフローチャートである。
【符号の説明】
１              管理ターミナル
２              貨幣処理機
３，１１        ＣＰＵ
４，１２        上位通信部
５              下位通信部
６              プリンタ部
７，１５        ＲＯＭ
８              ＦＤＤ
９，１６        ＲＡＭ
１０            ＨＤＤ
１３            搬送手段
１４            貨幣識別部
【図１】
0003836295.tif 000002
【図２】
0003836295.tif 000003
【図３】
0003836295.tif 000004
【図４】
0003836295.tif 000005
【図５】
0003836295.tif 000006
【図６】
0003836295.tif 000007
【図７】
0003836295.tif 000008